(57)【要約】【課題】筐体を重ねて閉じた状態にロックするロック機構が、筐体内部に伸びることを防止して、電子部品を配置するレイアウトの自由度を向上する。【解決手段】第１筐体（１）と第２筐体（２）とを重ねて閉じた状態から相対的に移動可能で、第１筐体（１）と第２筐体（２）を閉じた状態にロックするロック機構を備える筐体構造であって、ロック機構は、第１筐体（１）または第２筐体（２）の一方の筐体に対し出没可能に組み付けられ、当該一方の筐体から突出して他方の筐体に対し係脱可能なロック部材２６と、このロック部材２６を一方の筐体から突出する方向に付勢する弾性部材２５と、ロック部材２６を一方の筐体内に没入する方向に操作する操作部材２４と、からなり、弾性部材２５と操作部材２４を並列的に配置した。【選択図】図２３
2010272933.tif 000002
【特許請求の範囲】
【請求項１】
第１筐体と第２筐体とを重ねて閉じた状態から相対的に移動可能で、
前記第１筐体と第２筐体を閉じた状態にロックするロック機構を備える筐体構造であって、
前記ロック機構は、
前記第１筐体または第２筐体の一方の筐体に対し出没可能に組み付けられ、当該一方の筐体から突出して他方の筐体に対し係脱可能なロック部材と、
このロック部材を前記一方の筐体から突出する方向に付勢する弾性部材と、
前記ロック部材を前記一方の筐体内に没入する方向に操作する操作部材と、からなり、
前記弾性部材と操作部材を並列的に配置したことを特徴とする筐体ロック機構。
【請求項２】
前記第１筐体と第２筐体は折り畳んだ状態から相対的に回転させて開放可能であることを特徴とする請求項１に記載の筐体ロック機構。
【請求項３】
前記操作部材は、スライド操作するスライドつまみであることを特徴とする請求項１または２に記載の筐体ロック機構。
【請求項４】
前記操作部材は、プッシュ操作するプッシュボタンであることを特徴とする請求項１または２に記載の筐体ロック機構。
【請求項５】
前記操作部材は、回転操作する回転つまみであることを特徴とする請求項１または２に記載の筐体ロック機構。
【請求項６】
前記ロック部材は、前記第１筐体と第２筐体とを回転自在に結合するヒンジ軸に対し係脱可能であることを特徴とする請求項１から５のいずれか一項に記載の筐体ロック機構。
【請求項７】
前記ロック機構のロック解除は、前記第１筐体に対し前記第２筐体を横方向に開放するブックスタイルで行われることを特徴とする請求項１から６のいずれか一項に記載の筐体ロック機構。
【請求項８】
請求項１から７のいずれか一項に記載の筐体ロック機構を備えることを特徴とする携帯機器。
【発明の詳細な説明】
【技術分野】
【０００１】
本発明は、筐体を重ねて閉じた状態にロックする機構と、その筐体ロック機構を備える携帯機器に関する。
【背景技術】
【０００２】
筐体を折り畳み状態から縦方向に開放したり、横方向に開放したりできる折り畳み式携帯端末において、筐体を折り畳み状態にロックする機構が特許文献１に開示される。この特許文献１のロック機構は、その図１０に示すように、ストッパ爪、ストッパ軸、バネが一直線に並べて配置されている。
【先行技術文献】
【特許文献】
【０００３】
【特許文献１】特開２００７‐１１３６８６号公報
【発明の概要】
【発明が解決しようとする課題】
【０００４】
しかし、筐体を折り畳み状態にロックする機構を設ける場合に、特許文献１のように、筐体内部に向けてストッパ爪、ストッパ軸、バネを一直線に並べて配置すると、筐体内部の電子部品の配置をずらしたりする必要が生じ、電子部品を配置するレイアウトの自由度が損なわれていた。
【０００５】
本発明の課題は、筐体を重ねて閉じた状態にロックするロック機構が、筐体内部に伸びることを防止して、電子部品を配置するレイアウトの自由度を向上することである。
【課題を解決するための手段】
【０００６】
以上の課題を解決するため、請求項１に記載の発明は、第１筐体と第２筐体とを重ねて閉じた状態から相対的に移動可能で、前記第１筐体と第２筐体を閉じた状態にロックするロック機構を備える筐体構造であって、前記ロック機構は、前記第１筐体または第２筐体の一方の筐体に対し出没可能に組み付けられ、当該一方の筐体から突出して他方の筐体に対し係脱可能なロック部材と、このロック部材を前記一方の筐体から突出する方向に付勢する弾性部材と、前記ロック部材を前記一方の筐体内に没入する方向に操作する操作部材と、からなり、前記弾性部材と操作部材を並列的に配置したことを特徴とする。
【０００７】
請求項２に記載の発明は、請求項１に記載の筐体ロック機構であって、前記第１筐体と第２筐体は折り畳んだ状態から相対的に回転させて開放可能であることを特徴とする。
【０００８】
請求項３に記載の発明は、請求項１または２に記載の筐体ロック機構であって、前記操作部材は、スライド操作するスライドつまみであることを特徴とする。
【０００９】
請求項４に記載の発明は、請求項１または２に記載の筐体ロック機構であって、前記操作部材は、プッシュ操作するプッシュボタンであることを特徴とする。
【００１０】
請求項５に記載の発明は、請求項１または２に記載の筐体ロック機構であって、前記操作部材は、回転操作する回転つまみであることを特徴とする。
【００１１】
請求項６に記載の発明は、請求項１から５のいずれか一項に記載の筐体ロック機構であって、前記ロック部材は、前記第１筐体と第２筐体とを回転自在に結合するヒンジ軸に対し係脱可能であることを特徴とする。
【００１２】
請求項７に記載の発明は、請求項１から６のいずれか一項に記載の筐体ロック機構であって、前記ロック機構のロック解除は、前記第１筐体に対し前記第２筐体を横方向に開放するブックスタイルで行われることを特徴とする。
【００１３】
請求項８に記載の発明は、請求項１から７のいずれか一項に記載の筐体ロック機構を備える携帯機器を特徴とする。
【発明の効果】
【００１４】
本発明によれば、筐体を重ねて閉じた状態にロックするロック機構が、筐体内部に伸びることを防止し、電子部品を配置するレイアウトの自由度を上げることができる。
【図面の簡単な説明】
【００１５】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図１の折り畳み状態の携帯電話を他端側から見た拡大図である。
【図１０】図２の縦方向開放状態での画面とカメラの方向を示した図である。
【図１１】図１０と反対側から見た図である。
【図１２】図１０と反対側でバンパー部も示した図である。
【図１３】図８のヒンジユニットの縦方向開放状態に対応した図である。
【図１４】図３の横方向開放状態でのブックスタイルを示した図である。
【図１５】図８のヒンジユニットのブックスタイルに対応した図である。
【図１６】図４のムービースタイルでの画面とカメラの方向を示した図である。
【図１７】図１６の上方向から見た平面図である。
【図１８】図１６のムービースタイルでの反対側から見た持ち方を示した図である。
【図１９】図８のヒンジユニットのムービースタイルに対応した図である。
【図２０】図９の折り畳み状態の携帯電話を上側から見た図である。
【図２１】図２０のロックリリーススイッチ部の拡大図である。
【図２２】図２０の携帯電話をブックスタイルとした図である。
【図２３】図２１のロックリリーススイッチ部の内部機構を示した図である。
【図２４】図２３のロック機構のみを示した図である。
【図２５】図２４のロック機構を下側から見た図である。
【図２６】図２１のロック状態を示した要部断面図である。
【図２７】図２６のロック状態からロック解除状態を示した図である。
【図２８】ロック機構の実施形態２を示した平面図である。
【図２９】図２８のロック機構のみを示した斜視図である。
【図３０】図２９のロック機構の平面図である。
【図３１】図３０のロック機構の側面図である。
【図３２】ロック機構の実施形態３を示した平面図である。
【図３３】図３２のロック機構のみを下側から見た斜視図である。
【図３４】図３３のロック機構の平面図である。
【図３５】図３４のロック機構の側面図である。
【図３６】ロック機構の実施形態４を示した平面図である。
【図３７】図３６のロック機構のみを示した斜視図である。
【図３８】図３７のロック機構の平面図である。
【図３９】図３８のロック機構の側面図である。
【図４０】ロック機構の実施形態５を示した平面図である。
【図４１】図４０のロック機構のみを示した斜視図である。
【図４２】図４１のロック機構の平面図である。
【図４３】図４２のロック機構の側面図である。
【図４４】図４０のロック状態からロック解除状態を示した図である。
【図４５】ロック機構の実施形態６を示した平面図である。
【図４６】図４５のロック機構のみを示した斜視図である。
【図４７】図４６のロック機構のロック解除時を示した破断側面図である。
【図４８】図４７のロック解除状態からロック方向に移動した状態を示した図である。
【発明を実施するための形態】
【００１６】
以下、図を参照して本発明を実施するための形態を詳細に説明する。
（実施形態１）
図１から図４は本発明を適用した携帯機器の一実施形態の構成として携帯電話を示したもので、１は第１筐体、２は第２筐体、３は第３筐体、４は操作部、５は表示部、６はアンテナ、７は入力部（撮影部）、８は照明部である。
【００１７】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には入力部としての撮影部７及び照明部８が設けられている。
【００１８】
図５及び図８は第３筐体３の内部に組み込まれる２軸ヒンジユニット１０を示したもので、１１は第１回転軸、１２は第２回転軸、１３は第３筐体３のフレーム、２１は第１取付部材、２２は第２取付部材である。
【００１９】
２軸ヒンジユニット１０は、図示のように、左右一対の第１回転軸１１と、右側の第２回転軸１２と、中央の第３筐体３のフレーム１３と、第１回転軸１１の各々に設けた左右一対の第１取付部材２１と、第２回転軸１２に設けた第２取付部材２２とから構成される。
【００２０】
すなわち、第１回転軸１１は、軸線を左右方向に向けた中空状のもので、フレーム１３の左右両側面にネジ止め固定したブラケット１４の下部に軸受部材を介して各々回転自在に一体化されている。この第１回転軸１１には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。なお、図示左側の第１回転軸１１は、９０度等の所定角度に対応するクリック感が得られる軸受部材１５を介してフレーム１３に組み付けられている。
【００２１】
そして、第２回転軸１２は、軸線を前後方向に向けた中空状のもので、フレーム１３の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２２】
図６は第１配線３１及び第２配線３２を示し、図７は２軸ヒンジユニット１０と第１配線３１及び第２配線３２を組み合わせた図である。
【００２３】
すなわち、第１配線３１は、第１筐体１内の基板に接続されるコネクタ３１ａを一端に備えて第３筐体３内の基板に接続されるコネクタ３１ｃを他端に備えるもので、図７において右側の第１回転軸１１の中空部内に通されている。
【００２４】
そして、第２配線３２は、第１筐体１内の基板に接続されるコネクタ３２ａを一端に備えて第２筐体２内の基板に接続されるコネクタ３２ｂを他端に備えるもので、図７において右側の第１回転軸１１の中空部内に通して第２回転軸１２の中空部内に通されている。
【００２５】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２６】
図９は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００２７】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００２８】
そして、下ケース３４の上部左右には、上ケース３５の開放部を閉じる突出部が形成されており、この突出部の下面にゴム等の柔らかい材質の緩衝材によるバンパー２３が設けられている。
【００２９】
さらに、下ケース３４の突出部と上ケース３５の側面との間に、ロック解除の操作部材としてスライド操作するスライドつまみによるロックリリーススイッチ２４が組み付けられている。このロックリリーススイッチ２４のスライド操作により、第３筐体３の端面から突出する方向にコイルバネ２５（図２３〜図２５参照）で付勢され、第２筐体２の端面に形成された凹部２９（図２６及び図２７参照）に係合するロックピース２６（図２３〜図２７参照）を後退させてロックが解除される。
【００３０】
先ず、図１及び図９は第１筐体１上に第１筐体２及び第３筐体３を重ねて折り畳んだ状態を示したもので、図８はその折り畳み状態に対応した２軸ヒンジユニット１０を示したものである。すなわち、フレーム１３から第１取付部材２１及び第２取付部材２２は同一方向に平行に向いている。
【００３１】
次に、図２及び図１０から図１２は第１筐体１に対し第２筐体２及び第３筐体３を、第１回転軸１１を中心に縦方向に開放した通常オープンスタイルを示したもので、図１０及び図１１において、矢印Ａで示す方向は撮影部７の向きを示し、矢印Ｂで示す方向は表示部５の画面の向きを示している。そして、図１３はその通常オープンスタイルに対応した２軸ヒンジユニット１０を示したものである。すなわち、フレーム１３に対し第１取付部材２１と第２取付部材２２が互いに反対方向に向いている。
【００３２】
以上の通常オープンスタイルにおいて、第１筐体１に対し第２筐体２及び第３筐体３を、第１回転軸１１を中心に縦方向に開く際に、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されている。
【００３３】
次に、図３及び図１４は第１筐体１及び第３筐体３に対し第２筐体２を、第２回転軸１２を中心に横方向に開放して表示部５を横長としたブックスタイルを示したもので、図１５はそのブックスタイルに対応した２軸ヒンジユニット１０を示したものである。すなわち、折り畳み状態時におけるフレーム１３及び第１取付部材２１に対し第２取付部材２２が一側方に向いている。
【００３４】
次に、図４及び図１６から図１８は第１筐体１に対し第２筐体２及び第３筐体３を、第１回転軸１１を中心に９０度回転して表示部５を横長としたムービースタイルを示したもので、図１６及び図１７において、矢印Ａで示す方向は撮影部７の向きを示し、矢印Ｂで示す方向は表示部５の画面の向きを示している。そして、図１９はそのムービースタイルに対応した２軸ヒンジユニット１０を示したものである。すなわち、折り畳み状態時におけるフレーム１３及び第２取付部材２２に対し第１取付部材２１が直角方向に向いている。
【００３５】
そして、ムービースタイル時においては、図１６から図１８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００３６】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００３７】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００３８】
以上のムービースタイルにおいて、図１８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００３９】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００４０】
次に、以上のムービースタイル時において、撮像部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００４１】
そして、第２筐体２を第３筐体３に対し上部の第２回転軸１２を中心に手前側に回転すると、図１２に示すように、規制プレート１７の下端部が第１回転軸１１の端部外周のカム１９の大径部１９ｂの切り欠き部１９ｃに入り込む。これにより、第１回転軸１１の回転が規制される。
【００４２】
以上において、ブックスタイル時には、図３及び図１４に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００４３】
また、折り畳み状態では、図８に示したように、２軸ヒンジユニット１０のフレーム１３から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００４４】
次に、図２０は図９の折り畳み状態の携帯電話を上側から見たもので、図２１はそのロックリリーススイッチ２４部を拡大したものであり、図２２は携帯電話をブックスタイルとした状態を示している。図示のように、ブックスタイルにおいて、第３筐体３は第１筐体１に重なった一体化状態であり、第２筐体２が第２回転軸１２を中心に横方向に回転して開放されている。そして、前述したロックリリーススイッチ２４、コイルバネ２５及びロックピース２６は、第３筐体３の第２回転軸１２と反対側の端部に組み込まれている。
【００４５】
図２３は図２１のロックリリーススイッチ２４部の内部機構を示したもので、図示のように、ロックリリーススイッチ２４は、コイルバネ２５及びロックピース２６に対し並列に配置されている。すなわち、第３筐体３の下ケース３４の突出部と上ケース３５の側面との間にスライド自在に組み付けられるロックリリーススイッチ２４には、図２４及び図２５にも示すように、内側へ突出する腕部２４ａが形成されている。この腕部２４ａに、ロックピース２６の側面に突出して形成した腕部２６ａが係合してスライド方向に一体に組み付けられている。
【００４６】
ロックピース２６は、その摺動部先端に、第３筐体３の第２筐体２が開閉される端面に形成した穴から出没するロック爪２６ｂを有している。このロック爪２６ｂは、図示のように、上下面が斜めの傾斜面により先細り形状となっている。さらに、ロックピース２６の摺動部上には、上方への凸部２６ｃと、この凸部２６ｃから摺動部と平行に延びるガイドロッド２６ｄが形成されている。このガイドロッド２６ｄに沿ってコイルバネ２５が装着される。コイルバネ２５は、ロックピース２６の凸部２６ｃと第３筐体３内との間に圧縮状態でセットされている。
【００４７】
図２６は図２１のロック状態を示したもので、折り畳み状態においては、図示のように、第３筐体３の端面の穴から突出したロック爪２６ｂが、第２筐体２の端面の凹部２９に係合状態となって、第１筐体１上に第２筐体２を折り畳んだ状態にロックされている。
【００４８】
図２７は図２６のロック状態からロック解除状態を示したもので、ブックスタイルにするには、ロックリリーススイッチ２４を指先でスライド操作して、ロックピース２６をコイルバネ２５に付勢に抗して摺動部で後退動作させ、図示のように、第３筐体３の端面の穴にロック爪２６ｂを没入させる。これにより、ロックが解除されて、第２回転軸１２を中心に第２筐体２を横方向に回転して開放することで、ブックスタイルにすることができる。
【００４９】
ここで、ロック爪２６ｂは、図示のように、上下面が斜めの傾斜面により先細り形状となっているので、例えば第２筐体２を横方向に強制開閉操作する際において、ロック爪２６ｂに第２筐体２の端面が接触しても傾斜面により傷付きを防止できる。
なお、このロック爪２６ｂの傾斜面はなくてもよい。
【００５０】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、撮影部７とともに第３筐体３に収納した筐体構造で、第１筐体１と第２筐体２を縦方向に開放させた場合は、第３筐体３が第２筐体１とともに移動し、また、横方向に開放させた場合には、第３筐体３が第１筐体１とともに移動する構成としたことで、ムービースタイルにして、表示部５の画面を横長で見ながら撮影部７でムービー撮影することができる。
【００５１】
さらに、ムービースタイル時において、撮影部７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００５２】
また、２軸ヒンジユニット１０は、第１回転軸１１及び第２回転軸１２が第３筐体３のフレーム１３に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００５３】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００５４】
また、ロックリリーススイッチ２４とコイルバネ２５及びロックピース２６とを並列的に配置したことで、第１筐体１及び第３筐体３に対し第２筐体２を折り畳み状態にロックするロック機構が、第３筐体３内部に伸びることを防止し、ロック機構の構成部品を従来のように一直線に並べて配置した場合と比較して、電子部品を配置するレイアウトの自由度を上げることができる。
【００５５】
しかも、ロックピース２６の摺動部を下段として、その上段にコイルバネ２５を配置したことで、小型化・省スペース化を実現できる。
また、外観部品のロックリリーススイッチ２４と内部部品のロックピース２６を別パーツ化したことで、ロックリリーススイッチ２４の加飾の幅が広がり、デザイン性が高まるとともに、ロックピース２６の摺動力のチューニングが容易に行える。
【００５６】
（実施形態２）
次に、図２８から図３１はロック機構の実施形態２を示したもので、前述した実施形態１と同様、３は第３筐体であって、６１はロックピース、６２はコイルバネ、６３はロックリリーススイッチ、６４はプッシュロッドである。
【００５７】
図示のように、ロックピース６１は、その摺動部側面に、先端側に向けて先細りとなる傾斜面６１ａが形成されて、摺動部先端には、第３筐体３の端面の穴から出没するロック爪６１ｂを有している。このロック爪６１ｂは、図示のように、上面が斜めの傾斜面により先細り形状となっている。さらに、ロックピース６１の摺動部上には、上方への凸部６１ｃから摺動部と平行に延びるガイドロッド６１ｄが形成されている。このガイドロッド６１ｄに沿ってコイルバネ６２が装着される。コイルバネ６２は、ロックピース６１の凸部６１ｃと第３筐体３内との間に圧縮状態でセットされている。
【００５８】
そして、第３筐体３の側面に形成した穴に、ロック解除の操作部材としてプッシュ操作するプッシュボタンによるロックリリーススイッチ６３が組み付けられている。このロックリリーススイッチ６３の内側には、ロックピース６１に連接するプッシュロッド６４が一体に設けられている。このプッシュロッド６４の先端は、ロックピース６１の摺動部側面の傾斜面６１ａに当接する傾斜面６４ａとなっている。
【００５９】
図２８は第３筐体３の端面からロック爪６１ｂが突出した状態を示したもので、この状態から矢印で示したようにロックリリーススイッチ６３を指先でプッシュ操作すると、プッシュロッド６４先端の傾斜面６４ａにより傾斜面６１ａが押されてロックピース６１がコイルバネ６２に付勢に抗して矢印で示すように後退動作し、ロック爪６１ｂが第３筐体３端面の穴内に没入する。こうしてロックが解除される。
【００６０】
（実施形態３）
次に、図３２から図３５はロック機構の実施形態３を示したもので、前述した実施形態１と同様、３は第３筐体であって、７１はロックピース、７２はコイルバネ、７３はロックリリーススイッチ、７４はコネクチングリンクである。
【００６１】
図示のように、ロックピース７１は、その摺動部先端に、第３筐体３の端面の穴から出没するロック爪７１ｂを有している。このロック爪７１ｂは、図示のように、上面が斜めの傾斜面により先細り形状となっている。さらに、ロックピース７１の摺動部上には、上方への凸部７１ｃから摺動部と平行に延びるガイドロッド７１ｄが形成されている。このガイドロッド７１ｄに沿ってコイルバネ７２が装着される。コイルバネ７２は、ロックピース７１の凸部７１ｃと第３筐体３内との間に圧縮状態でセットされている。
【００６２】
そして、第３筐体３の上面に形成した穴に、ロック解除の操作部材としてスライド操作するスライドつまみによるロックリリーススイッチ７３が組み付けられている。このロックリリーススイッチ７３とロックピース７１とには両者を連接するコネクチングリンク７４が架設されている。このコネクチングリンク７４は、その中間部をピン７５で第３筐体３に旋回自在に支持して、一端部をピン７６でロックピース７１の下面に連結して、他端部をピン７７でロックリリーススイッチ７３の下面に連結している。
【００６３】
図３２は第３筐体３の端面からロック爪７１ｂが突出した状態を示したもので、この状態からロックリリーススイッチ７３を指先でスライド操作すると、ピン７７を介してコネクチングリンク７４が中間のピン７５を中心に旋回し、ピン７６を介してロックピース７１がコイルバネ７２に付勢に抗して後退動作し、ロック爪７１ｂが第３筐体３端面の穴内に没入する。こうしてロックが解除される。
【００６４】
なお、コネクチングリンク７４には、図３２のように、両端部のピン７６・７７の部分に長穴を形成したり、あるいは、図３３から図３５のように、中間部のピン７５の部分に長穴を形成しておく。
【００６５】
（実施形態４）
次に、図３６から図３９はロック機構の実施形態４を示したもので、前述した実施形態１と同様、３は第３筐体であって、８１はロックピース、８２はコイルバネ、８３はロックリリーススイッチ、８４はギアである。
【００６６】
図示のように、ロックピース８１は、その摺動部側面にラック８１ａが形成されていて、摺動部先端には、第３筐体３の端面の穴から出没するロック爪８１ｂを有している。このロック爪８１ｂは、図示のように、上面が斜めの傾斜面により先細り形状となっている。さらに、ロックピース８１の摺動部上には、上方への凸部８１ｃから摺動部と平行に延びるガイドロッド８１ｄが形成されている。このガイドロッド８１ｄに沿ってコイルバネ８２が装着される。コイルバネ８２は、ロックピース８１の凸部８１ｃと第３筐体３内との間に圧縮状態でセットされている。
【００６７】
そして、第３筐体３の側面に形成した穴に、ロック解除の操作部材として回転操作するレバー状の回転つまみによるロックリリーススイッチ８３が組み付けられている。このロックリリーススイッチ８３は、ロックピース８１に連接するギア８４と一体に設けられている。
【００６８】
図３６は第３筐体３の端面からロック爪８１ｂが突出した状態を示したもので、この状態からロックリリーススイッチ８３を指先で回転操作すると、一体のギア８４と噛み合うラック８１ａを介してロックピース８１がコイルバネ８２に付勢に抗して後退動作し、ロック爪８１ｂが第３筐体３端面の穴内に没入する。こうしてロックが解除される。
【００６９】
（実施形態５）
次に、図４０から図４４はロック機構の実施形態５を示したもので、前述した実施形態１と同様、２は第２筐体、３は第３筐体、１１は第１回転軸、２９は凹部であって、９１はロックピース、９２はコイルバネ、９３はロックリリーススイッチである。
【００７０】
図示のように、ロックピース９１は、その摺動部先端に、第３筐体３の端面の穴から出没するロック爪９１ｂを有している。このロック爪９１ｂは、図示のように、上面が斜めの傾斜面により先細り形状となっている。さらに、ロックピース９１の摺動部上には、上方への凸部９１ｃから摺動部と平行に延びるガイドロッド９１ｄが形成されている。このガイドロッド９１ｄに沿ってコイルバネ９２が装着される。コイルバネ９２は、ロックピース９１の凸部９１ｃと第３筐体３内との間に圧縮状態でセットされている。
【００７１】
また、ロックピース９１の摺動部下には、逆Ｌ字形の係合片９１ｅが形成されている。この係合片９１ｅは、前記２軸ヒンジユニット１０のヒンジ軸をなす第１回転軸１１に形成した凹部１１ｅに係合可能である。
【００７２】
そして、第３筐体３の側面に形成した穴に、ロック解除の操作部材としてスライド操作するスライドつまみによるロックリリーススイッチ９３が組み付けられている。このロックリリーススイッチ９３は、実施形態１のように腕部を係合してロックピース９１に連接させたり、実施形態３のようにコネクチングリンクを介してロックピース９１に連接させる。
【００７３】
なお、実施形態２のようにプッシュ操作するプッシュボタンによるロックリリーススイッチや、実施形態４のように回転操作するレバー状の回転つまみによるロックリリーススイッチであってもよい。
【００７４】
図４０は第３筐体３の端面からロック爪９１ｂが突出して第２筐体２の端面の凹部２９に係合したロック状態を示したもので、このロック状態からロックリリーススイッチ９３を指先でスライド操作すると、ロックピース９１がコイルバネ９２に付勢に抗して後退動作し、図４４に示すように、ロック爪９１ｂが第３筐体３端面の穴内に没入すると同時に、図４１及び図４３にも示すように、逆Ｌ字形の係合片９１ｅが第１回転軸１１の凹部１１ｅに係合する。
【００７５】
こうして第２筐体２のロックが解除されると同時に、第１回転軸１１がロックされる。従って、ブックスタイルでは第１回転軸１１をロックして、通常オープン動作を不可に規制できる。
【００７６】
（実施形態６）
次に、図４５から図４８はロック機構の実施形態６を示したもので、前述した実施形態１と同様、１は第１筐体、２は第２筐体、３は第３筐体であって、１０１はロックピース、１０２はコイルバネ、１０３はロックリリーススイッチである。
【００７７】
図示のように、ロックピース１０１は、その摺動部先端に、第３筐体３の端面の穴から出没するロック爪１０１ｂを有している。このロック爪１０１ｂは、図示のように、上面が斜めの傾斜面により先細り形状となっている。さらに、ロックピース１０１の摺動部上には、上方への凸部１０１ｃから摺動部と平行に延びるガイドロッド１０１ｄが形成されている。このガイドロッド１０１ｄに沿ってコイルバネ９２が装着される。コイルバネ１０２は、ロックピース１０１の凸部１０１ｃと第３筐体３内との間に圧縮状態でセットされている。
【００７８】
また、ロックピース１０１の摺動部下には、Ｌ字形の係合片１０１ｆが形成されている。この係合片１０１ｆは、第１筐体１の上面に形成した凹部１ｆに係合可能である。
【００７９】
そして、第３筐体３の側面に形成した穴に、ロック解除の操作部材としてスライド操作するスライドつまみによるロックリリーススイッチ１０３が組み付けられている。このロックリリーススイッチ１０３は、実施形態１のように腕部を係合してロックピース１０１に連接させたり、ロックピース１０１に腕部を介して一体化する。
【００８０】
ここで、ロック爪１０１ｂは、凸部１０１ｃより上方に突出していて、第３筐体３端面の穴には上方から突起３ｂが形成されている。また、第２筐体２の端面には突起２ｂが形成されている。
【００８１】
図４７は第３筐体３端面の穴にロック爪１０１ｂが没入したロック解除状態を示したもので、第３筐体３端面の穴に上方から臨む突起３ｂがロック爪１０１ｂの前上部に位置している。
【００８２】
この状態から第２筐体２をブックスタイルに開放させると、コイルバネ１０２の付勢によりロック爪１０１ｂが、図４８に示すように、第３筐体３端面の穴から上方の突起３ｂを押し退けて突出すると同時に、Ｌ字形の係合片１０１ｆが第１筐体１の凹部１ｆに係合する。従って、ブックスタイルでは第１筐体１に第３筐体３をロックして、通常オープン動作を不可に規制できる。
【００８３】
また、ロックリリーススイッチ１０３を操作しなくても、第２筐体２をクローズさせれば、その第２筐体２端面の突起２ｂがロック爪１０１ｂに当たり、コイルバネ１０２の付勢に抗しロックピース１０１が後退動作し、上方の突起３ｂを押し退けてロック爪１０１ｂが第３筐体３端面の穴内に没入する。同時に、Ｌ字形の係合片１０１ｆが後退して第１筐体１の凹部１ｆから抜け出す。従って、通常オープン動作が可能となる。
【００８４】
（変形例）
なお、以上の実施形態においては、携帯電話としたが、本発明はこれに限定されるものではなく、ＰＤＡ、ノートパソコン、ウェアラブルパソコン、電卓、電子辞書などで、ロック部を備えた機器全てに用いることができる。
また、縦方向のみ折り畳み可能な携帯機器、横方向のみ折り畳み可能な携帯機器、あるいは、折り畳み状態から縦方向に開いた表示部筐体の平面上を表示部が旋回可能な携帯機器、さらには、表示部筐体と操作部筐体とが、重なり状態から相対的にスライド自在となっているスライド式の携帯機器にも適用可能である。
さらに、ロック機構の構成部品の形状等も任意であり、その他、具体的な細部構造等についても適宜に変更可能であることは勿論である。
【符号の説明】
【００８５】
１  第１筐体
２  第２筐体
３  第３筐体
４  操作部
５  表示部
６  アンテナ
７  入力部（撮影部）
８  照明部
１０  ２軸ヒンジユニット
１１  第１回転軸（ヒンジ軸）
１２  第２回転軸
１３  フレーム
１４  ブラケット
１５  軸受部材
１６  突出部
２１  第１取付部材
２２  第２取付部材
２３  緩衝材
２４  操作部材
２５  弾性部材
２６  ロック部材
２９  凹部
３１  第１配線
３２  第２配線
３３  アンテナ線
３４  下ケース
３５  上ケース
４１  シャッターキー
４２  ズームキー
４３  サブメニューキー
４４  画面表示切替キー
４５  Ａ−ＭＡＴ（音声ズーム）ON/OFFキー
４６  顔ピタON/OFFキー
４７  逆光補正キー
４８  ホワイトバランスキー
４９  秒撮キー
５１  バンパー
５２  バンパー
５３  マイク穴
５４  マイク穴
６１  ロック部材
６２  弾性部材
６３  操作部材
６４  連接部材
７１  ロック部材
７２  弾性部材
７３  操作部材
７４  連接部材
８１  ロック部材
８２  弾性部材
８３  操作部材
８４  連接部材
９１  ロック部材
９２  弾性部材
９３  操作部材
１０１  ロック部材
１０２  弾性部材
１０３  操作部材
【図１】
2010272933.tif 000003
【図２】
2010272933.tif 000004
【図３】
2010272933.tif 000005
【図４】
2010272933.tif 000006
【図７】
2010272933.tif 000007
【図８】
2010272933.tif 000008
【図９】
2010272933.tif 000009
【図１０】
2010272933.tif 000010
【図１１】
2010272933.tif 000011
【図１２】
2010272933.tif 000012
【図１３】
2010272933.tif 000013
【図１４】
2010272933.tif 000014
【図１５】
2010272933.tif 000015
【図１６】
2010272933.tif 000016
【図１７】
2010272933.tif 000017
【図１８】
2010272933.tif 000018
【図１９】
2010272933.tif 000019
【図２０】
2010272933.tif 000020
【図２１】
2010272933.tif 000021
【図２２】
2010272933.tif 000022
【図２３】
2010272933.tif 000023
【図２４】
2010272933.tif 000024
【図２５】
2010272933.tif 000025
【図２６】
2010272933.tif 000026
【図２７】
2010272933.tif 000027
【図２８】
2010272933.tif 000028
【図２９】
2010272933.tif 000029
【図３０】
2010272933.tif 000030
【図３１】
2010272933.tif 000031
【図３２】
2010272933.tif 000032
【図３３】
2010272933.tif 000033
【図３４】
2010272933.tif 000034
【図３５】
2010272933.tif 000035
【図３６】
2010272933.tif 000036
【図３７】
2010272933.tif 000037
【図３８】
2010272933.tif 000038
【図３９】
2010272933.tif 000039
【図４０】
2010272933.tif 000040
【図４１】
2010272933.tif 000041
【図４２】
2010272933.tif 000042
【図４３】
2010272933.tif 000043
【図４４】
2010272933.tif 000044
【図４５】
2010272933.tif 000045
【図４６】
2010272933.tif 000046
【図４７】
2010272933.tif 000047
【図４８】
2010272933.tif 000048
【図５】
2010272933.tif 000049
【図６】
2010272933.tif 000050